(57)【要約】【課題】紙幣から取得した複数のデータをもとにした特徴値を複合して複合特徴値を算出し、その複合特徴値を用いて偽造紙幣を判別する手段を提供する。【解決手段】輝度平均値、輝度偏差、磁気平均値、磁気偏差、赤外線平均値、赤外線偏差を記憶した記憶部８と、画像データ取得部３、磁気センサ４、赤外線センサ５を備え、画像データ取得部３で取得した画像データから抽出した輝度値と輝度平均値との差を輝度偏差で割ることで、輝度特徴値を算出し、磁気センサ４で取得した磁気データから抽出した磁気値と磁気平均値との差を磁気偏差で割ることで、磁気特徴値を算出し、赤外線センサ５で取得した赤外線データから抽出した赤外線値と赤外線平均値との差を赤外線偏差で割ることで、赤外線特徴値を算出し、その輝度特徴値と磁気特徴値、赤外線特徴値を足し合わせて複合特徴値を算出し、その複合特徴値を複合特徴閾値と比較することを特徴とする。【選択図】図１
2008015591.tif 000002
【特許請求の範囲】
【請求項１】
紙幣から画像データを取得する画像データ取得部と、紙幣から前記画像データ以外のデータを取得するためのセンサを備え、
紙幣の真偽を判断するための複合特徴閾値を記憶する特徴閾値記憶手段を有し、
前記画像データ取得部で取得した画像データをもとに算出した特徴値と、前記センサで取得したデータをもとに算出した他の特徴値とを複合して複合特徴値を算出し、その複合特徴値と前記特徴閾値記憶手段に記憶している複合特徴閾値とを比較することで、紙幣の真偽を判定することを特徴とする紙幣真偽判定装置。
【請求項２】
請求項１において、
紙幣から磁気データを取得する磁気センサと、紙幣から赤外線データを取得する赤外線センサと、真券紙幣をもとに取得した輝度平均値、輝度偏差、磁気平均値、磁気偏差、赤外線平均値、赤外線偏差を記憶する特徴値算出用データ記憶手段とを備え、
前記画像データ取得部によって取得した画像データから紙幣の輝度値を抽出し、その輝度値と前記輝度平均値との差を前記輝度偏差で割ることで、輝度特徴値を算出し、
前記磁気センサによって取得した磁気データから磁気値を抽出し、該磁気値と前記磁気平均値との差を前記磁気偏差で割ることで、磁気特徴値を算出し、
前記赤外線センサによって取得した赤外線データから赤外線値を抽出し、該赤外線値と前記赤外線平均値との差を前記赤外線偏差で割ることで、赤外線特徴値を算出し、
前記輝度特徴値と、前記磁気特徴値、前記赤外線特徴値を足し合わせて複合することで複合特徴値を算出することを特徴とする紙幣真偽判定装置。
【請求項３】
請求項２において、
前記輝度特徴値、磁気特徴値、赤外線特徴値に対する補正値を記憶する補正値記憶手段を有し、
複合特徴値を算出する際に、該補正値を前記輝度特徴値、磁気特徴値、赤外線特徴値に掛け合わせることを特徴とする紙幣真偽判定装置。
【発明の詳細な説明】
【技術分野】
【０００１】
本発明は、紙幣の真偽を判定する紙幣真偽判定装置に関する。
【背景技術】
【０００２】
従来の紙幣真偽判定装置は、判定する紙幣の画像データを取得し、その画像データの画素ごとの濃度を取得していき、その濃度の総数が閾値以上であるときにその紙幣が真券で有ると判断し、閾値未満の場合にはその紙幣は偽造紙幣であると判断している（例えば、特許文献１参照。）。
【特許文献１】特開平８−１９４８５８号公報（段落００１３、第４図）
【発明の開示】
【発明が解決しようとする課題】
【０００３】
しかしながら、上述した従来の技術においては、画像データの濃度の総数が閾値以上か否かを判断しているが、近年高精度なプリンタなどの出現により高精度な偽造紙幣が出回っており、画像データの濃度の確認だけでは偽造紙幣であってもそれを排除することができなくなっている。
また一般に、紙幣の真偽判定には画像データの濃度を用いる方法に加えて、さらにセンサによって紙幣の磁気値を抽出し、画像データの濃度の確認と、抽出した磁気値の確認とを行うことで、紙幣の真偽を判定する方法もあるが、それでも近年の高精度な偽造紙幣を排除できないという問題がある。
【０００４】
本発明は、上記の問題点を解決するための手段を提供することを目的とする。
【課題を解決するための手段】
【０００５】
本発明は、上記課題を解決するために、紙幣から画像データを取得する画像データ取得部と、紙幣から前記画像データ以外のデータを取得するためのセンサを備え、紙幣の真偽を判断するための複合特徴閾値を記憶する特徴閾値記憶手段を有し、前記画像データ取得部で取得した画像データをもとに算出した特徴値と、前記センサで取得したデータをもとに算出した他の特徴値とを複合して複合特徴値を算出し、その複合特徴値と前記特徴閾値記憶手段に記憶している複合特徴閾値とを比較することで、紙幣の真偽を判定することを特徴とする。
【発明の効果】
【０００６】
これにより、本発明は、紙幣から得た複数の特徴値を複合したことによる複合特徴値を用い、紙幣の真偽判定を行うことによってさらに精度の高い真偽判定を行うことができるという効果が得られる。
【発明を実施するための最良の形態】
【０００７】
以下に、図面を参照して本発明による紙幣真偽判定装置の実施例について説明する。
【実施例１】
【０００８】
図１は実施例１の紙幣真偽判定装置を示すシステム構成図、図２は実施例１の紙幣真偽判定手段を示すブロック図である。
図１において、１は紙幣真偽判定装置であり、図示しない金融機関の自動取引装置等の内部に設けられ、媒体搬送部によって搬送される紙幣の真偽の判定処理を行う。
２は媒体搬送部であり、搬送される紙幣がスキューの状態であるか否かを認識するためのセンサを備えており、また紙幣のスキューを補正するための機能を有している。
【０００９】
３は画像データ取得部であり、ＣＣＤカメラ等を備えており、媒体搬送部２によって搬送される紙幣の画像データを取得する機能を有する。
４は磁気センサであり、媒体搬送部２の途中に設置されており、搬送される紙幣から磁気の強さを示す磁気データを取得するための機能を有する。
５は赤外線センサであり、媒体搬送部２を横断する赤外線発光部と、その赤外線発光部に対向配置される赤外線受光部とにより構成され、搬送される紙幣が赤外線を遮る際に紙幣を透過する赤外線の強さを示す赤外線データを取得するための機能を有する。
【００１０】
７は制御部であり、記憶部８に格納されている制御プログラムに従って紙幣真偽判定装置１の各部の動作を制御する。
記憶部８は、制御部７が実行する制御プログラムや、搬送される紙幣の真偽を判定するための真偽判定プログラムを格納している他、制御部７による処理結果等を記憶する。
図２において、１０は輝度抽出部であり、制御部７と記憶部８に格納されている真偽判定プログラムとによって実現され、画像データ取得部３によって取得した画像データをもとにその紙幣自体の平均的な輝度値を抽出する。
【００１１】
１１は磁気抽出部であり、制御部７と記憶部８に格納されている真偽判定プログラムとによって実現され、磁気センサ４によって取得した磁気データをもとにその紙幣自体の平均的な磁気の強さを示す磁気値を抽出する。
１２は赤外線抽出部であり、制御部７と記憶部８に格納されている真偽判定プログラムとによって実現され、赤外線センサ５によって取得した赤外線データをもとにその紙幣自体の平均的な赤外線の強さを示す赤外線値を抽出する。
【００１２】
上記の記憶部８には、真券である紙幣（真券紙幣という。）をもとにした輝度値のヒストグラムから定まる平均値（輝度平均値）や標準偏差（輝度偏差）を格納するための輝度偏差格納エリアや、真券紙幣をもとにした磁気値のヒストグラムから定まる平均値（磁気平均値）や標準偏差（磁気偏差）を格納するための磁気偏差格納エリア、真券紙幣をもとにした赤外線値のヒストグラムから定まる平均値（赤外線平均値）や標準偏差（赤外線偏差）を格納する赤外線偏差格納エリアを備える。
【００１３】
また、記憶部８は搬送される紙幣について輝度抽出部１０や磁気抽出部１１、赤外線抽出部１２によって抽出される輝度値や磁気値、赤外線値を記憶するための記憶エリアを有する他、紙幣の真偽を判断するための紙幣特徴閾値を格納する。
１３は輝度特徴値算出部であり、制御部７と記憶部８に格納されている真偽判定プログラムとによって実現され、輝度抽出部１０によって抽出される輝度値や、記憶部８の輝度偏差格納エリアに格納されている輝度平均値と輝度偏差とから紙幣の輝度特徴値を算出する。
【００１４】
１４は磁気特徴値算出部であり、制御部７と記憶部８に格納されている真偽判定プログラムとによって実現され、磁気抽出部１１によって抽出される磁気値や、記憶部８の磁気偏差格納エリアに格納されている磁気平均値と磁気偏差とから紙幣の磁気特徴値を算出する。
１５は赤外線特徴値算出部であり、制御部７と記憶部８に格納されている真偽判定プログラムとによって実現され、赤外線抽出部１２によって抽出される赤外線値と記憶部８の赤外線偏差格納エリアに格納されている赤外線平均値と赤外線偏差とから紙幣の赤外線特徴値を算出する。
【００１５】
なお、輝度特徴値、磁気特徴値、赤外線特徴値を定める方法については後述する。
また、記憶部８は紙幣の輝度や磁気、赤外線の値を補正するための輝度補正値、磁気補正値、赤外線補正値も格納しており、それぞれの値は０よりも大きく１以下の範囲の数字であって、それぞれほぼ同値であることから本実施例においては共通して１とする。
１６は複合特徴生成部であり、制御部７と記憶部８に格納されている真偽判定プログラムとによって実現され、輝度特徴値算出部１３や磁気特徴値算出部１４、赤外線特徴算出部１５で算出される輝度特徴値や磁気特徴値、赤外線特徴値を複合し新たに紙幣の真偽判別のための複合特徴値を生成する。
【００１６】
１７は真偽判定部であり、制御部７と記憶部８に格納されている真偽判定プログラムとによって実現され、複合特徴生成部１６によって生成される複合特徴値に従って紙幣が本物か偽物かを判定する。
１８は結果出力部であり、この紙幣真偽判定装置１を搭載している自動取引装置に紙幣の真偽の判定結果を出力して伝達する。
【００１７】
図３は輝度偏差と輝度平均値を定める手段を示すブロック図である。ここでは上記の輝度偏差と輝度平均値を定めるために必要な部位を示す。
図３において、２０は集計部であり、複数枚の真券紙幣について、それぞれの紙幣から抽出される輝度値や磁気値、赤外線値を集計した集計データを記憶する。
２１は真券紙幣データ算出部であり、制御部７と記憶部８に格納されている真偽判定プログラムとによって実現され、集計部２０の統計データをもとに輝度平均値とその輝度偏差や、磁気平均値とその磁気偏差、赤外線平均値とその赤外線偏差を算出する。
【００１８】
２２は輝度データ取扱部であり、制御部７と記憶部８に格納されている真偽判定プログラムとによって実現され、真券紙幣データ算出部２１によって算出される輝度平均値と輝度偏差を記憶部８の輝度偏差格納エリアに格納させる。
ここで、本実施例の紙幣真偽判定の動作について説明する前に、記憶部８に紙幣真偽判定に必要な輝度平均値と輝度偏差を格納しておくための方法について説明しておく。
【００１９】
まず、紙幣真偽判定装置１の制御部７は、画像データ取得部３で複数枚投入される真券紙幣から画像データを順次取得していく。
輝度抽出部１０は、画像データ取得部３によって取得される画像データをもとにして紙幣の輝度値を順次抽出していく。
制御部７は、抽出された輝度値を輝度集計部２０に集計していき、上記の画像データ取得部３で画像データを取得する動作から輝度値を輝度集計部２０に格納するまでの動作を全ての真券紙幣に対して行う。
【００２０】
真券紙幣データ算出部２１は、集計部２０の統計データをもとに最も高い頻度で抽出される輝度値をもとに輝度平均値を定め、その輝度平均値を用いて輝度偏差を算出する。
なお、図４は複数枚の真券紙幣から集計した輝度値をもとに想定した輝度値を示す紙幣輝度ヒストグラムであって、縦軸が紙幣の集計枚数、横軸は輝度値の範囲（例えば０〜１０、１０〜２０等のように区切られている）を示している。
【００２１】
図４において、３０は輝度値から作成される紙幣輝度ヒストグラムをもとにした輝度分布曲線である。
３１は輝度平均値であって、３２は輝度偏差であって集計された輝度値をもとにした輝度分布曲線３０をもとに定められる。
輝度データ取扱部２２は、上記の輝度平均値３１と輝度偏差３２を記憶部８の輝度偏差格納エリアに格納させる。
【００２２】
なお、上記では紙幣の輝度について説明したが、これと同様にして集計部２０は複数の真券紙幣をもとに磁気値や赤外線値を集計して記憶する。
真券紙幣データ算出部２１は、集計部２０に記憶されている磁気値と赤外線値とから磁気平均値と赤外線平均値を定め、さらに磁気偏差と赤外線偏差を算出する。
そして、図示しない磁気データ取扱部は、記憶部８の磁気偏差格納エリアに磁気平均値と磁気偏差を格納させ、また図示しない赤外線データ取扱部は、記憶部８の赤外線偏差格納エリアに赤外線平均値と赤外線偏差を格納する。
【００２３】
上述した構成における紙幣真偽判定について説明する。
制御部７は、画像データ取得部３によって搬送される紙幣から輝度データを取得すると共に、磁気センサ４によって紙幣から磁気データを取得し、赤外線センサ５によって紙幣から赤外線データを取得する。
そして、輝度抽出部１０は上記の輝度データをもとに輝度値を抽出し、磁気抽出部１１は上記の磁気データをもとに磁気値を抽出し、赤外線抽出部１２は上記の赤外線データをもとに赤外線値を抽出する。
【００２４】
制御部７は、抽出された輝度値と磁気値、赤外線値を記憶部８に記憶しておく。
制御部７が記憶部８から輝度平均値と輝度偏差、輝度値を読み出すと、輝度特徴値算出部１３は読み出された輝度平均値と輝度偏差、輝度値を用いて輝度特徴値を算出する。
以下に輝度特徴値を算出するための式（１）を示す。
式（１）において、輝度平均値をＫａｖｅ、輝度偏差をＫσ、輝度値をＫｏｕｔ、輝度特徴値をＰａで示す。
【００２５】
【数１】
2008015591.tif 000003
式（１）に示すように輝度特徴値Ｐａは、輝度平均値と紙幣の輝度値との差を輝度偏差で割って正規化することで算出される値であり、制御部７はその輝度特徴値Ｐａを記憶部８に記憶しておく。
【００２６】
次に磁気特徴値を算出するための式（２）を示す。
式（２）において、磁気平均値をＭａｖｅ、磁気偏差をＭσ、磁気値をＭｏｕｔ、磁気特徴値をＰｋで示す。
【００２７】
【数２】
2008015591.tif 000004
式（２）に示すように磁気特徴値Ｐｋは、磁気平均値と紙幣の磁気値との差を磁気偏差で割って正規化することで算出される値であり、制御部７はその磁気特徴値Ｐｋを記憶部８に記憶しておく。
【００２８】
更に赤外線特徴値を算出するための式（３）を示す。
式（３）において、赤外線平均値をＩＲａｖｅ、赤外線偏差をＩＲσ、赤外線値をＩＲｏｕｔ、赤外線特徴値をＰｉで示す。
【００２９】
【数３】
2008015591.tif 000005
式（３）に示すように赤外線特徴値Ｐｉは、赤外線平均値と紙幣の赤外線値との差を赤外線偏差で割って正規化することで算出される値であり、制御部７はその赤外線特徴値Ｐｉを記憶部８に記憶しておく。
【００３０】
制御部７は、記憶部８から輝度特徴値と磁気特徴値、赤外線特徴値、輝度補正値、磁気補正値、赤外線補正値を読み出す。
複合特徴生成部１６は、上記で読み出された輝度特徴値と磁気特徴値、赤外線特徴値、輝度補正値、磁気補正値、赤外線補正値をもとに複合特徴値を算出する。
以下に、複合特徴値を算出するための式（４）を示す。
【００３１】
式（４）において、輝度特徴値をＰｋ、磁気特徴値をＰｍ、赤外線特徴値をＰｉ、輝度補正値をＷｋ、磁気補正値をＷｍ、赤外線補正値をＷｉ、複合特徴値をＰｃｏｍで示す。
【００３２】
【数４】
2008015591.tif 000006
そして、制御部７が記憶部８に格納されている紙幣特徴閾値を読み出すと、真偽判定部１７はその紙幣特徴閾値と上記の複合特徴値とを比較し、複合特徴値が紙幣特徴閾値未満の場合は入力された紙幣が真券であると判定し、紙幣特徴閾値以上の場合には偽造紙幣と判定する。
【００３３】
以下に、上述した紙幣真偽判定について、実際に記憶部８に格納されている輝度平均値Ｋａｖｅ、輝度偏差Ｋσ、磁気平均値Ｍａｖｅ、磁気偏差Ｍσ、赤外線平均値ＩＲａｖｅ、赤外線偏差ＩＲσや、紙幣から抽出される輝度値Ｋｏｕｔと磁気値Ｍｏｕｔ、赤外線値Ｍｉに例となる数字を当てはめて説明する。
なお、真券紙幣と偽造紙幣との両方を比較できるように、両紙幣についての判定を行うものとする。
【００３４】
ここで、輝度平均値Ｋａｖｅを１００、輝度偏差Ｋσを２、磁気平均値Ｍａｖｅを１０００、磁気偏差Ｍσを５０、赤外線平均値ＩＲａｖｅを４００、赤外線偏差ＩＲσを１０とする。
真券の紙幣をもとに抽出される輝度値Ｋｏｕｔは１１０で磁気値Ｍｏｕｔは１３００、赤外線値ＩＲｏｕｔは４５０とする。
【００３５】
また、偽造紙幣をもとに抽出される輝度値Ｋｏｕｔ´は１８０で磁気値Ｍｏｕｔ´は３０００、赤外線値ＩＲｏｕｔ´は７００とする。
ここで、図５は各分布曲線を示す説明図であり、（ａ）は輝度分布曲線、（ｂ）は磁気分布曲線、（ｃ）は赤外線分布曲線を示したものであり、偽造紙幣や真券紙幣から抽出した値が各分布曲線においてどのように位置するかを示したものである。
【００３６】
図５（ａ）、（ｂ）、（ｃ）において、３５ａは輝度分布曲線、３５ｂは磁気分布曲線、３５ｃは赤外線分布曲線を示す。
３６ａ、３６ｂ、３６ｃは偽造紙幣の輝度値、磁気値、赤外線値であり、輝度抽出部１０、磁気抽出部１１、赤外線抽出部１２が偽造紙幣から抽出した値を示したものである。
３７ａ、３７ｂ、３７ｃは真券紙幣の輝度値、磁気値、赤外線値であり、輝度抽出部１０、磁気抽出部１１、赤外線抽出部１２が真券紙幣から抽出した値を示したものである。
【００３７】
３８ａ、３８ｂ、３８ｃは輝度平均値、磁気平均値、赤外線平均値を示す。
３９ａ、３９ｂ、３９ｃは輝度偏差、磁気偏差、赤外線偏差を示す。
４０ａは偽券輝度距離であり、偽造紙幣の輝度値３６ａから輝度平均値３８ａまでの距離を示す。
４０ｂは偽券磁気距離であり、偽造紙幣の磁気値３６ｂから磁気平均値３８ｂまでの距離を示す。
【００３８】
４０ｃは偽券赤外線距離であり、偽造紙幣の赤外線値３６ｃから赤外線平均値３８ｃまでの距離を示す。
４１ａは真券輝度距離であり、真券紙幣の輝度値３７ａから輝度平均値３８ａまでの距離を示す。
４１ｂは真券磁気距離であり、真券紙幣の磁気値３７ｂから磁気平均値３８ｂまでの距離を示す。
【００３９】
４１ｃは真券赤外線距離であり、真券紙幣の赤外線値３７ｃから赤外線平均値３８ｃまでの距離を示す。
これら上記の偽券輝度距離４０ａ、偽券磁気距離４０ｂ、偽券赤外線距離４０ｃ、真券輝度距離４１ａ、真券磁気距離４１ｂ、真券赤外線距離４１ｃは、その距離が０に近いほど真券に近いことを表しており、よって図６（ａ）、（ｂ）、（ｃ）から偽券輝度距離４０ａ、偽券磁気距離４０ｂ、偽券赤外線距離４０ｃはそれぞれが真券輝度距離４１ａ、真券磁気距離４１ｂ、真券赤外線距離４１ｃに対して明らかに離れていることが見て分かる。
【００４０】
以下に、上述した各数値を式（１）〜式（３）に代入して、輝度特徴値Ｐｋと、磁気特徴値Ｐｍ、赤外線特徴値Ｐｉを求める。
【００４１】
【数５】
2008015591.tif 000007
次に偽造紙幣の輝度値Ｋｏｕｔと磁気値Ｍｏｕｔ、赤外線値ＩＲｏｕｔを用いることで、偽造紙幣の輝度特徴値Ｐｋ´、磁気特徴値Ｐｍ´、赤外線特徴値Ｐｉ´を計算する。なお輝度特徴値と磁気特徴値、赤外線特徴値を算出する際には上記式（１）〜式（３）を用いるが、真券と偽造紙幣を区別するために偽造紙幣の輝度特徴値と磁気特徴値、赤外線特徴値にはそれぞれ符号に´を付けることで区別する。
【００４２】
これによって、
【００４３】
【数６】
2008015591.tif 000008
となる。
制御部７は、上記で算出された輝度特徴値Ｐｋ、Ｐｋ´と磁気特徴値Ｐｍ、Ｐｍ´、赤外線特徴値Ｐｉ、Ｐｉ´を上記の式（４）に適用することによっては真券紙幣の複合特徴値Ｐｃｏｍと偽造紙幣の複合特徴値Ｐｃｏｍ´を算出する。
【００４４】
ここで、式（４）では輝度補正値をＷｋ、磁気補正値をＷｍ、赤外線補正値をＷｉを用いるが、上述したように本実施例においては、それぞれがほぼ同値であることから本実施例においては共通して１としているので、真券紙幣の複合特徴値Ｐｃｏｍは、
【００４５】
【数７】
2008015591.tif 000009
となり、偽造紙幣の複合特徴値Ｐｃｏｍ´は、
【００４６】
【数８】
2008015591.tif 000010
となる。
図６は紙幣真偽判定に必要な数値を示す一覧表を示しており、上述した輝度平均値と磁気平均値、赤外線平均値、輝度偏差、磁気偏差、赤外線偏差、真券紙幣と偽造紙幣から抽出される輝度値、磁気値、赤外線値、そして上記式（１）、式（２）、式（３）で算出される輝度特徴値、磁気特徴値、赤外線特徴値を示す表である。
【００４７】
そして、制御部７は記憶部８から紙幣特徴閾値（例えば５０〜６０間の値に設定される。）を読み出し、複合特徴値Ｐｃｏｍ、Ｐｃｏｍ´と比較して紙幣の真偽を判別する。
このように、輝度特徴値、磁気特徴値、赤外線特徴値の各特徴値の算出は、輝度値、磁気値、赤外線値をそれぞれの標準偏差で割って正規化することでそれぞれ数字の桁が異なるもの同士でも、スケールを合わせてから足し合わせ、複合特徴値を算出するようにしている。
【００４８】
そして、真券紙幣の複合特徴値は上記式（５）より１６となり、偽造紙幣の複合特徴値は上記式（６）より１１０となって大きく差が現れるため、このことを用いることでさらに細かく紙幣の真偽を判定でき、偽造紙幣を排除できる。
以上説明したように、本実施例においては、輝度や磁気、赤外線等の異なった紙幣の特徴を複合して複合特徴値を算出し、その複合特徴値が紙幣特徴閾値未満のときにその紙幣が真券で有ると判断するので、紙幣の輝度値や磁気値、赤外線値等を個々に用いるよりも、更に紙幣真偽判別の精度を向上させることができる。
【００４９】
また、輝度特徴値、磁気特徴値、赤外線特徴値を算出するときにそれぞれの標準偏差で割ることによって、それぞれ桁が異なる数字の値であっても、スケールを合わせることができるので、元となる輝度値や磁気値、赤外線値を単に足し合わせたことで、桁が大きい値によって桁の小さい値の影響しなくなってしまうのを防止できる。
なお、上記実施例１においては、各種の補正値（輝度補正値、磁気補正値、赤外線補正値）をすべて１としたが、輝度特徴値、磁気特徴値、赤外線特徴値のいずれかの値が他の値に比べて大きくなるような場合には、全体のバランスを合わせる用にそれぞれの補正値を設定するようにするとよい。
【００５０】
また、上記実施例１においては、輝度特徴値、磁気特徴値、赤外線特徴値の３種の特徴値をもとに複合特徴値を算出したが、これに限らず複合特徴値を構成するための特徴値は何種類でもよい。
さらに、輝度や磁気、赤外線のみに限定されるものでは無いことは言うまでも無い。
【図面の簡単な説明】
【００５１】
【図１】実施例１の紙幣真偽判定装置を示すシステム構成図
【図２】実施例１の紙幣真偽判定手段を示すブロック図
【図３】紙幣真偽判定装置の輝度偏差と輝度平均値を定めるための部位を示すブロック図
【図４】輝度値を示す紙幣輝度ヒストグラム
【図５】各分布曲線を示す説明図
【図６】紙幣真偽判定に必要な数値を示す一覧表
【符号の説明】
【００５２】
１    紙幣真偽判定装置
２    媒体搬送部
３    画像データ取得部
４    磁気センサ
５    赤外線センサ
７    制御部
８    記憶部
１０  輝度抽出部
１１  磁気抽出部
１２  赤外線抽出部
１３  輝度特徴値算出部
１４  磁気特徴値算出部
１５  赤外線特徴値算出部
１６  複合特徴生成部
１７  真偽判定部
１８  結果出力部
２０  集計部
２１  真券紙幣データ算出部
２２  輝度データ取扱部
３０、３５ａ  輝度分布曲線
３１、３８ａ  輝度平均値
３２、３９ａ  輝度偏差
３５ｂ  磁気分布曲線
３５ｃ  赤外線分布曲線
３６ａ、３７ａ  輝度値
３６ｂ、３７ｂ  磁気値
３６ｃ、３７ｃ  赤外線値
３８ｂ  磁気平均値
３８ｃ  赤外線平均値
３９ｂ  磁気偏差
３９ｃ  赤外線偏差
４０ａ  偽券輝度距離
４０ｂ  偽券磁気距離
４０ｃ  偽券赤外線距離
４１ａ  真券輝度距離
４１ｂ  真券磁気距離
４１ｃ  真券赤外線距離
【図１】
2008015591.tif 000011
【図２】
2008015591.tif 000012
【図３】
2008015591.tif 000013
【図４】
2008015591.tif 000014
【図５】
2008015591.tif 000015
【図６】
2008015591.tif 000016